(57)【要約】【目的】  画質を低下させることなく、カラー読取速度を向上させる。【構成】  Ａ／Ｄ変換回路２２の読取画素あたりの複数色の出力パターンが隣接画素で異なり、且つその出力パターンが各画素にて周期的となるように、読取制御部からの駆動クロックに基づいてクロック生成部３６がマルチプレクサ２３およびＡ／Ｄ変換回路２２へ入力するクロックを生成し、上記読取画素に含まれない色の読取画素にかかる当該色を、画像処理部が近接する当該色と同一色の読取画素により補間する。【選択図】        図４
2006319607.tif 000002
【特許請求の範囲】
【請求項１】
複数のカラーラインセンサを備えるイメージセンサと、その各カラーラインセンサからそれぞれ出力されるアナログ信号をデジタル信号に変換するＡ／Ｄ変換器と、前記各カラーラインセンサからそれぞれ出力されるアナログ信号を順次前記Ａ／Ｄ変換器に転送するマルチプレクサと、前記イメージセンサ，前記Ａ／Ｄ変換器，および前記マルチプレクサを駆動するためのクロックを生成するクロック生成器とを有する画像読取装置であって、
前記Ａ／Ｄ変換器の読取画素あたりの複数色の出力パターンが隣接画素で異なり、且つ該出力パターンが各画素にて周期的となるように、前記クロックに基づいて前記マルチプレクサおよび前記Ａ／Ｄ変換器へ入力するクロックを生成するクロック生成手段と、
前記読取画素に含まれない色の読取画素にかかる当該色を、近接する当該色と同一色の読取画素により補間するカラー画素補間手段と
を設けたことを特徴とする画像読取装置。
【請求項２】
請求項１記載の画像読取装置において、
前記イメージセンサは、赤色，緑色，青色のアナログ信号をそれぞれ出力する３本のラインセンサを備えることを特徴とする画像読取装置。
【請求項３】
請求項１又は２記載の画像読取装置において、
前記Ａ／Ｄ変換器の読取画素あたりの複数色の出力パターンが、赤色，緑色，青色のうち、２色の組み合わせであることを特徴とする画像読取装置。
【請求項４】
請求項１乃至３のいずれか一項に記載の画像読取装置において、
モノクロ読取モード又はカラー読取モードを選択する読取モード選択手段と、
該読取モード選択手段によってモノクロ読取モードが選択された場合に、前記Ａ／Ｄ変換器からの各色の出力のうち、読取画素あたりで１色の出力のみを選択する出力選択手段とを設けたことを特徴とする画像読取装置。
【請求項５】
請求項１乃至４のいずれか一項に記載の画像読取装置において、
出力画像の解像度に応じて、前記イメージセンサを駆動するためのクロックを変更するクロック変更手段を設けたことを特徴とする画像読取装置。
【発明の詳細な説明】
【技術分野】
【０００１】
この発明は、スキャナ装置やデジタル複写機，ファクシミリ装置，デジタル複合機（ＭＦＰ）のスキャナ部等のイメージセンサを用いて原稿の画像を読み取る画像読取装置に関する。
【背景技術】
【０００２】
上記のような画像読取装置として、原稿の画像面を照明し、その画像面からの反射光像を受光して複数色のアナログ信号（受光信号）に変換する複数のカラーラインセンサを持つイメージセンサと、その各カラーラインセンサからそれぞれ出力されるアナログ信号をデジタル信号に変換するＡ／Ｄ変換器（Ａ／Ｄ変換回路）とを備えたものが製品化されている（例えば特許文献１〜３）。
【特許文献１】特開２００３−１８９０６８号公報
【特許文献２】特開２００２−１９９２３２号公報
【特許文献３】特開２００４−０４０１４６号公報
【０００３】
このような従来の画像読取装置について、図１５〜１７を参照して具体的に説明する。
図１５は、従来の画像読取装置の制御系の構成例を示すブロック図である。
ＣＣＤ１０は、読取画像の赤，緑，青の各色にそれぞれ対応する各アナログ信号（受光信号）を出力する複数のカラーラインセンサを持つイメージセンサである。
アナログフロントエンド（以下「ＡＦＥ」と略称する）２０は、ＣＣＤ１０から出力される各アナログ信号の利得およびオフセット調整、また各アナログ信号をデジタル信号に変換するＡ／Ｄ変換の機能などを備えるＩＣである。
【０００４】
画像処理部３０は、ＡＦＥ２０から出力される各デジタル信号に対して各種画像処理（シェーディング補正，γ補正，フィルタ処理など）を行う。
読取制御部４０は、ＣＣＤ１０およびＡＦＥ２０の制御を行う。この読取制御部４０は、ＣＣＤ１０およびＡＦＥ２０を駆動するためのクロック（駆動クロック）を生成するクロック生成器を備えている。
【０００５】
図１６は、図１５のＡＦＥ２０の構成例を示すブロック図である。
この例では、ＣＣＤ１０から出力される赤（Ｒ），緑（Ｇ），青（Ｂ）の各色にそれぞれ対応する各アナログ信号に対し、別々のＡＦＥ２０（２０ａ，２０ｂ，２０ｃ）を持ち、それぞれアナログ処理回路２１（２１ａ，２１ｂ，２１ｃ）およびＡ／Ｄ変換回路（ＡＤＣ）２２（２２ａ，２２ｂ，２２ｃ）を備えている。
このようなＡＦＥ２０の構成では、高速な画像処理が可能であり、業務用のカラー複写機にてよく使用される。
【０００６】
図１７は、図１５のＡＦＥ２０の他の構成例を示すブロック図であり、図１６と対応する部分には同一符号を付している。
この例では、ＣＣＤ１０から出力される赤，緑，青の各色にそれぞれ対応する各アナログ信号に対し、１つのＡＦＥ２０が使用される。
各アナログ処理回路２１（２１ａ，２１ｂ，２１ｃ）からそれぞれ出力される各アナログ信号は、マルチプレクサ２３により順次１つのＡ／Ｄ変換回路２２に転送され、そこでデジタル信号に変換される。
このようなＡＦＥ２０の構成は、回路規模が小さくなるため、安価なカラー画像読取装置にてよく使用される。
【発明の開示】
【発明が解決しようとする課題】
【０００７】
図１７の構成では、ＣＣＤ１０の駆動クロックに対し、Ａ／Ｄ変換回路２２に高いサンプリングレートが要求される。例えば、ＣＣＤ１０を６ＭＨｚで駆動する場合、図１６の構成では、Ａ／Ｄ変換回路２２に要求されるサンプリングレートは６ＭＳＰＳ（Mega Sample Per Second）であるが、図１７の構成では、Ａ／Ｄ変換回路２２に要求されるサンプリングレートは１８ＭＳＰＳとなる。
【０００８】
そこで、図１７のＡ／Ｄ変換回路２２として、高速なＡ／Ｄ変換回路を使用することも考えられるが、ＡＦＥ２０のコストアップにつながる。このため、低速なＡ／Ｄ変換回路を使用し、カラー読取速度を低くするケースがよく見られる。例えば、図１７の構成にて、Ａ／Ｄ変換回路２２の最大サンプリングレートが６ＭＳＰＳの場合、カラー読み取りではＣＣＤ１０の駆動周波数を２ＭＨｚに設定し、赤，緑，青のそれぞれのアナログ信号をＡ／Ｄ変換回路２２にてデジタル信号に変換する。また、モノクロ読み取りでは、ＣＣＤ１０の駆動周波数を６ＭＨｚに設定し、緑のアナログ信号のみをＡ／Ｄ変換回路２２にてデジタル信号に変換する。よって、カラー読取速度が、モノクロ読取速度に対して遅くなるという問題がある。
【０００９】
この発明は、上記の点に鑑みてなされたものであり、ＣＣＤ（複数のカラーラインセンサを持つイメージセンサ）から出力される各アナログ信号をマルチプレクサにより順次Ａ／Ｄ変換器に転送する構成の画像読取装置において、画質を低下させることなく、カラー読取速度を向上させることを目的とする。
【課題を解決するための手段】
【００１０】
この発明は、複数のカラーラインセンサを備えるイメージセンサと、その各カラーラインセンサからそれぞれ出力されるアナログ信号をデジタル信号に変換するＡ／Ｄ変換器と、上記各カラーラインセンサからそれぞれ出力されるアナログ信号を順次上記Ａ／Ｄ変換器に転送するマルチプレクサと、上記イメージセンサ，上記Ａ／Ｄ変換器，および上記マルチプレクサを駆動するためのクロックを生成するクロック生成器とを有する画像読取装置であって、上記の目的を達成するため、次のようにしたことを特徴とする。
【００１１】
請求項１の発明による画像読取装置は、上記Ａ／Ｄ変換器の読取画素あたりの複数色の出力パターンが隣接画素で異なり、且つ該出力パターンが各画素にて周期的となるように、上記クロックに基づいて上記マルチプレクサおよび上記Ａ／Ｄ変換器へ入力するクロックを生成するクロック生成手段と、上記読取画素に含まれない色の読取画素にかかる当該色を、近接する当該色と同一色の読取画素により補間するカラー画素補間手段とを設けたものである。
【００１２】
請求項２の発明による画像読取装置は、請求項１の画像読取装置において、上記イメージセンサに、赤色，緑色，青色のアナログ信号をそれぞれ出力する３本のラインセンサを備えたものである。
請求項３の発明による画像読取装置は、請求項１又は２の画像読取装置において、上記Ａ／Ｄ変換器の読取画素あたりの複数色の出力パターンを、赤色，緑色，青色のうち、２色の組み合わせとしたものである。
【００１３】
請求項４の発明による画像読取装置は、請求項１〜３のいずれかの画像読取装置において、モノクロ読取モード又はカラー読取モードを選択する読取モード選択手段と、該読取モード選択手段によってモノクロ読取モードが選択された場合に、上記Ａ／Ｄ変換器からの各色の出力のうち、読取画素あたりで１色の出力のみを選択する出力選択手段とを設けたものである。
請求項５の発明による画像読取装置は、請求項１〜４のいずれかの画像読取装置において、出力画像の解像度に応じて、上記イメージセンサを駆動するためのクロックを変更するクロック変更手段を設けたものである。
【発明の効果】
【００１４】
この発明の画像読取装置によれば、Ａ／Ｄ変換器の読取画素あたりの複数色の出力パターンが隣接画素で異なり、且つ該出力パターンが各画素にて周期的となるように、クロック生成手段がマルチプレクサおよびＡ／Ｄ変換器へ入力するクロックを生成し、上記読取画素に含まれない色の読取画素にかかる当該色を、カラー画素補間手段が近接する当該色と同一色の読取画素により補間するので、画質を低下させることなく、カラー読取速度を向上させることができる。
【発明を実施するための最良の形態】
【００１５】
以下、この発明を実施するための最良の形態を図面に基づいて具体的に説明する。
図１は、この発明を実施する画像読取装置（読取部）を備えたファクシミリ装置の構成例を示すブロック図である。
このファクシミリ装置は、装置全体の制御を行う制御部１０１やメモリ１０２、原稿の画像を読み取って画像データに変換する読取部１０３、コピー時の出力画像やファクシミリ送信時の送信画像又はファクシミリ受信時の受信画像を印刷出力する書込部（印刷部）１０４、キースイッチや表示部などを持つ操作部１０５、通信制御を行う通信部１０６、ファクシミリでの送受信画像データの圧縮伸長機能を持つ符号化部１０７などによって構成されている。
【００１６】
図２は、図１の読取部１０３の光学系の構成例を示す図であり、図１５および図１７と対応する部分には同一符号を付している。
この読取部１０３は、イメージスキャナであり、スキャナハウジング１１０と原稿Ｐを載置するコンタクトガラス１１１と光学走査系とによって構成されており、光学走査系には、光源（露光ランプ）１１２、第１ミラー１１３、第２ミラー１１４、第３ミラー１１５、レンズ１１６、およびＣＣＤ１０等によって構成されている。光源１１２と第１ミラー１１３は第１キャリッジ１１７上に固定され、第２ミラー１１４と第３ミラー１１５は第２キャリッジ１１８上に固定されている。
【００１７】
原稿Ｐの画像面（下面）を読み取るときには、第１キャリッジ１１７および第２キャリッジ１１８を原稿Ｐに対して平行に移動させるが、その際に、原稿Ｐの読取面とＣＣＤ１０との距離つまり光路長が一定に保たれるように、第１キャリッジ１１７と第２キャリッジ１１８とが２対１の相対速度で機械的に移動（走査）される。
この光学走査系は、スキャナモータ１１９によって駆動される。コンタクトガラス１１１上にセットされた原稿Ｐの画像は、ＣＣＤ１０によって読み取られ、電気信号であるアナログ信号に変換されて処理される。
【００１８】
すなわち、光学走査系の光源１１２によって原稿Ｐの画像面を照明し、その画像面からの反射光像を第１ミラー１１３，第２ミラー１１４，第３ミラー１１５，およびレンズ１１６を介してＣＣＤ１０の受光面に結像させ、そのＣＣＤ１０によってアナログ信号に変換する。
基準白板１２０は、シェーディング補正データを取り込む際に使用される。
【００１９】
図３は、図１の読取部１０３の制御系の構成例を示すブロック図であり、図１５と対応する部分には同一符号を付している。
ＣＣＤ１０，ＡＦＥ２０，および画像処理部３０の機能概要については、図１５によって既に述べているため省略する。
読取制御部４０は、ＣＣＤ１０，ＡＦＥ２０，光源１１２，およびスキャナモータ１１９の制御を行う。この読取制御部４０は、ＣＣＤ１０，ＡＦＥ２０，およびスキャナモータ１１９を駆動するためのクロック（駆動クロック）を生成するクロック生成器を備えている。
【００２０】
図４は、図３のＡＦＥ２０の構成例を示すブロック図であり、図１７と対応する部分には同一符号を付している。
このＡＦＥ２０は、相関二重サンプリング回路（以下「ＣＤＳ」と略称する）３１（３１ａ，３１ｂ，３１ｃ）、オフセット調整回路３２（３２ａ，３２ｂ，３２ｃ）、プログラマブルゲインアンプ（以下「ＰＧＡ」と略称する）３３（３３ａ，３３ｂ，３３ｃ）、マルチプレクサ（ＭＵＸ）２３、Ａ／Ｄ変換回路（ＡＤＣ）２２、外部インタフェース（Ｉ／Ｆ）３４、ＡＦＥ制御部３５、およびクロック生成部３６（クロック生成手段）を備えている。
【００２１】
クロック生成部３６は、Ａ／Ｄ変換器２２の読取画素あたりの複数色の出力パターンが隣接画素で異なり、且つその出力パターンが各画素にて周期的となるように、読取制御部４０からの駆動クロックに基づいてＣＤＳ３１，マルチプレクサ２３，およびＡ／Ｄ変換器２２へ入力するクロックを生成するクロック生成手段である。
なお、ＣＤＳ３１，オフセット調整回路３２，ＰＧＡ３３，外部インタフェース３４，ＡＦＥ制御部３５は周知のものであり、この発明に直接関係しないので、ここではそれらの説明を省略する。
【００２２】
このように構成された読取部１０３では、ＣＣＤ１０およびＡＦＥ２０の駆動モードとして、モノクロ読取モード（モノクロモード）と、３つのカラー読取モード、つまりー高解像度カラーモード，高速・高解像度カラーモード，高速・低解像度カラーモードを持ち、出力する画像（出力画像）のモードに応じて、いずれかの駆動モードを選択することができる。その機能（読取モード選択手段）は、読取制御部４０が備えている。読取制御部４０はまた、出力画像の解像度に応じて、ＣＣＤ１０を駆動するためのクロックを変更する機能（クロック変更手段）も備えている。
【００２３】
以下、モノクロモード，高解像度カラーモード，高速・高解像度カラーモード，高速・低解像度カラーモード時のＣＣＤ１０およびＡＦＥ２０の動作について説明する。
図５は、モノクロモード時のＣＣＤ１０の入出力信号の一例を示すタイミングチャートである。
図５において、φ１，φ２は転送クロック、φＲＳはリセットパルス、φＣＰはクランプパルス、Ｒ，Ｇ，ＢはＣＣＤ１０から出力される赤色，緑色，青色のアナログ信号である。
ＣＣＤ１０は、周期Ｔ（＝周波数１／Ｔ）のクロックにて駆動される。
【００２４】
図６は、モノクロモード時のＡＦＥ２０の入出力信号の一例を示すタイミングチャートである。
図６において、ＡＤＣＬＫはＡ／Ｄ変換回路２２を駆動するためのクロック、ＣＬＰはＣＤＳ３１のクランプ信号、Ｓ／ＨはＣＤＳ３１を駆動するサンプルホールド信号、Ｒ，Ｇ，ＢはＣＣＤ１０から出力される赤色，緑色，青色のアナログ信号、ＤはＡＦＥ２０から出力されるデジタル信号である。
モノクロモード時の読み取り（モノクロ読み取り）では、赤，青のアナログ信号は不要であるため、緑のアナログ信号のみが読取制御部４０によって選択され、Ａ／Ｄ変換される（デジタル信号に変換される）。よって、読取制御部４０が出力選択手段としての機能を果たす。
Ａ／Ｄ変換回路２２のサンプリングレートは１／Ｔである。
【００２５】
図７は、高解像度カラーモード時のＣＣＤ１０の入出力信号の一例を示すタイミングチャートである。
図７における信号名は図５と同じである。
ＣＣＤ１０は、周期３Ｔのクロックで駆動される。つまり、ＣＣＤ１０を駆動するためのクロックの周波数はモノクロモード時の１／３となり、１ライン分の画像データの蓄積時間はモノクロモード時の３倍となる。
【００２６】
図８は、高解像度カラーモード時のＡＦＥ２０の入出力信号の一例を示すタイミングチャートである。
図８における信号名は図６と同じである。
高解像度カラーモード時の読み取り（高解像度のカラー読み取り）では、１画素につき赤，緑，青の３色のアナログ信号をＡ／Ｄ変換する。このため、Ａ／Ｄ変換回路２２のサンプリングレートはモノクロモード時と同じであるが、１画素あたりのサンプリングレートはモノクロモード時の１／３となる。つまり、１ライン分の画像データの読取時間はモノクロモード時の３倍となる。
【００２７】
図９は、高速・高解像度カラーモード時のＣＣＤ１０の入出力信号の一例を示すタイミングチャートである。
図９における信号名は図５と同じである。
ＣＣＤ１０は周期２Ｔのクロックで駆動される。つまり、ＣＣＤ１０を駆動するためのクロックの周波数はモノクロモード時の１／２となり、１ライン分の画像データの蓄積時間はモノクロモード時の２倍となる。
【００２８】
図１０は、高速・高解像度カラーモード時のＡＦＥ２０の入出力信号の一例を示すタイミングチャートである。
図１０における信号名は図６と同じである。
高速・高解像度カラーモード時の読み取り（高速・高解像度カラー読み取り）では、１画素につき緑，赤の２色または緑，青の２色のアナログ信号をＡ／Ｄ変換する。また、奇数画素と偶数画素で、色の組み合わせを入れ替える。このため、Ａ／Ｄ変換回路２２のサンプリングレートはモノクロモード時と同じであるが、１画素あたりのサンプリングレートはモノクロモード時の１／２となる。つまり、１ライン分の画像データの読取時間はモノクロモード時の２倍となり、高解像度カラーモード時よりも高速に読み取り可能である。
【００２９】
図１１は、高速・高解像度カラーモード時のＡＦＥ２０の各出力パターンを読取位置に対応させたものである。
赤，青の出力画素数がそれぞれ緑の半分となる。このため、赤，青の不足する画素データについては、周辺の画像データからの補間計算値にて代用する（図１２）。補間計算方法としては、前後１画素ずつを参照するバイリニア法、前後２画素ずつを参照するバイキュービック法などがあるが、この発明における補間方法としてはバイキュービック法が適している。補間計算は、画像処理部３０にて行う。よって、画像処理部３０がカラー画素補間手段としての機能を果たす。
【００３０】
図１３は、高速・低解像度カラーモード時のＣＣＤ１０の入出力信号の一例を示すタイミングチャートである。
図１３における信号名は図５と同じである。
ＣＣＤ１０を駆動するためのクロックのうち、φ１とφ２は周期Ｔ、φＲＳとφＣＰは２Ｔである。この場合、ＣＣＤ１０の出力は１画素おきとなり、１ライン分の画像データの蓄積時間はモノクロモード時と同じとなる。
【００３１】
図１４は、高速・低解像度カラーモード時のＡＦＥ２０の入出力信号の一例を示すタイミングチャートである。
図１４における信号名は図６と同じである。
高速・低解像度カラーモード時の読み取り（高速・低解像度カラー読み取り）では、１画素につき緑，赤の２色または緑，青の２色のアナログ信号をＡ／Ｄ変換する。また、奇数画素と偶数画素で、色の組み合わせを入れ替える。このため、Ａ／Ｄ変換回路２２のサンプリングレートはモノクロモード時と同じであるが、１画素あたりのサンプリングレートはモノクロモード時の１／２となる。但し、１ラインあたりのＣＣＤ１０の出力画素数は、高速・高解像度カラーモード時の１／２である。
【００３２】
したがって、１ライン分の画像データの読取時間はモノクロモード時と同じとなり、高速・高解像度カラーモード時よりも更に高速に読み取り可能である。
なお、高速・低解像度カラーモードにおいても、赤，青の画像データが不足する。
このため、高速・高解像度カラーモード時と同様に、画像処理部３０にて補間計算を行う。
【００３３】
このように、読取部（画像読取装置）では、Ａ／Ｄ変換における読取１ラインあたりの出力画素数を特定色のみ間引き、且つ補間処理により間引き画素を補うことにより、画質を低下させることなく、カラー読取時間を短縮することができる。
また、出力される画像の読取解像度に応じて、ＣＣＤの駆動周波数（駆動クロック）、およびＡ／Ｄ変換における読取１ラインあたりの出力画素数を変更しているので、低解像度読み取り時において読取時間を短縮することができる。
【００３４】
以上、この発明をファクシミリ装置のスキャナ部（読取部）に適用した実施形態について説明したが、この発明はこれに限らず、スキャナ単体やデジタル複写機，デジタル複合機のスキャナ部等のイメージセンサを用いて原稿の画像を読み取る画像読取装置にも適用可能である。
【産業上の利用可能性】
【００３５】
以上の説明から明らかなように、この発明によれば、Ａ／Ｄ変換器の読取画素あたりの複数色の出力パターンが隣接画素で異なり、且つ該出力パターンが各画素にて周期的となるように、クロック生成手段がマルチプレクサおよびＡ／Ｄ変換器へ入力するクロックを生成し、上記読取画素に含まれない色の読取画素にかかる当該色を、カラー画素補間手段が近接する当該色と同一色の読取画素により補間するので、画質を低下させることなく、カラー読取速度を向上させることができる。したがって、この発明を利用すれば、高画質かつ高速のカラー読み取りが可能な画像読取装置を提供することができる。
【図面の簡単な説明】
【００３６】
【図１】この発明を実施する画像読取装置（読取部）を備えたファクシミリ装置の構成例を示すブロック図である。
【図２】図１の読取部１０３の光学系の構成例を示す図である。
【図３】図１の読取部１０３の制御系の構成例を示すブロック図である。
【図４】図３のＡＦＥ２０の構成例を示すブロック図である。
【図５】図１の読取部１０３におけるモノクロモード時のＣＣＤの入出力信号の一例を示すタイミング図である。
【００３７】
【図６】同じくモノクロモード時のＡＦＥの入出力信号の一例を示すタイミング図である。
【図７】同じく高解像度カラーモード時のＣＣＤの入出力信号の一例を示すタイミング図である。
【図８】同じく高解像度カラーモード時のＡＦＥの入出力信号の一例を示すタイミング図である。
【図９】同じく高速・高解像度カラーモード時のＣＣＤの入出力信号の一例を示すタイミング図である。
【００３８】
【図１０】同じく高速・高解像度カラーモード時のＡＦＥの入出力信号の一例を示すタイミング図である。
【図１１】同じく高速・高解像度カラーモード時のＡＦＥの各出力パターンの一例を示す説明図である。
【図１２】図１１に示した各出力パターンに対してカラー画素補間を行った後の各出力パターンの一例を示す説明図である。
【図１３】図１の読取部１０３における高速・低解像度カラーモード時のＣＣＤ１０の入出力信号の一例を示すタイミング図である。
【００３９】
【図１４】同じく高速・低解像度カラーモード時のＡＦＥ２０の入出力信号の一例を示すタイミング図である。
【図１５】従来の画像読取装置の制御系の構成例を示すブロック図である。
【図１６】図１５のＡＦＥ２０の構成例を示すブロック図である。
【図１７】図１５のＡＦＥ２０の他の構成例を示すブロック図である。
【符号の説明】
【００４０】
１０：ＣＣＤ    ２０：アナログフロントエンド    ２１：アナログ処理回路
２２：Ａ／Ｄ変換回路    ２３：マルチプレクサ    ３１：相関二重サンプリング回路
３２：オフセット調整回路    ３３：プログラマブルゲインアンプ
３４：外部インタフェース    ３５：ＡＦＥ制御部    ３６：クロック生成部
４０：読取制御部    １０３：読取部
【図１】
2006319607.tif 000003
【図２】
2006319607.tif 000004
【図３】
2006319607.tif 000005
【図４】
2006319607.tif 000006
【図５】
2006319607.tif 000007
【図６】
2006319607.tif 000008
【図７】
2006319607.tif 000009
【図８】
2006319607.tif 000010
【図９】
2006319607.tif 000011
【図１０】
2006319607.tif 000012
【図１１】
2006319607.tif 000013
【図１２】
2006319607.tif 000014
【図１３】
2006319607.tif 000015
【図１４】
2006319607.tif 000016
【図１５】
2006319607.tif 000017
【図１６】
2006319607.tif 000018
【図１７】
2006319607.tif 000019